(57)【要約】【課題】毛髪などのゴミが取手部に絡んだり引っかかかりにくくして、排水目皿の中央である捕集部まで誘導して集中的に堆積して捕集し、排水目皿の清掃の際に、捕集したゴミを取り除き易くすることが可能な取り扱いが簡単な排水目皿を実現する。【解決手段】排水目皿１において、フランジ部２、捕集部３及び取手部４を備え、フランジ部２は、上段フランジ部５と、下段フランジ部７から成り、下段フランジ部７から取手部４を起立して形成し、その径方向外端側では、その上面が、上段フランジ部５の上面と滑らかに連続して接続するような曲線２０として形成されており、毛髪４５などのゴミを取手部４に引っかかかりにくくして、上段フランジ部５から下段フランジ部７に流し、下段フランジ部７では、排水とともに毛髪４５などのゴミを捕集部３に誘導して捕集する。【選択図】図１
2010275718.tif 000002
【特許請求の範囲】
【請求項１】
ゴミの捕集部と、捕集部の周囲に形成されたフランジ部と、フランジ部に起立状に形成された取手部とを備えた排水目皿において、取手部の上面がフランジ部の最上面より高い位置まで立ち上げられて徐々に高さを下げながらフランジ部の最上面に滑らかに接続されていることを特徴とする排水目皿。
【請求項２】
取手部が排水目皿の径方向に沿って形成されていることを特徴とする請求項１に記載の排水目皿。
【請求項３】
フランジ部が上段フランジ部と下段フランジ部の複数の段部を備えていることを特徴とする請求項１又は２に記載の排水目皿。
【請求項４】
取手部の上面側の幅より下面側の幅が小さく形成され、下面側が把持可能となっていることを特徴とする請求項１〜３のいずれかに記載の排水目皿。
【発明の詳細な説明】
【技術分野】
【０００１】
本発明は、毛髪、繊維くず、その他のゴミを捕集するゴミ捕集部を有し、例えば、浴室、洗面ボウル、キッチンのシンクなどの排水口に設置する排水目皿（ヘアキャッチャー）に関する。
【背景技術】
【０００２】
従来、浴室の排水部などに取り付けられ、排水のみを通して毛髪やその他のゴミを捕集するものとして、図８（ａ）に示すような構成の排水目皿６０が知られている。この排水目皿６０は、網目状排水孔６１を有し全体として皿状に形成され、排水とゴミの捕集を行う捕集部６２を備えている。
【０００３】
捕集部６２の外周縁には、排水口への取り付け面となる平坦なフランジ部６３を備えている。排水目皿６０の中央部には、オーバーフローした排水を排出可能なように下端が開口した筒部６４が形成されている。捕集部６２から上方のフランジ部６３にかけて取手部６５が起立して形成されている。
【０００４】
さらに、従来技術として、浴室の排水口に設置するヘアキャッチャーにおいて、指先で抓むことができる抓み部が設けられた構成が知られている（特許文献１参照）。また、浴室の排水口に設置する排水部材において、排水カバーの下面に取手部への排水の流入を防止するための遮断用リブを設けた構成が知られている（特許文献２参照）。また、浴室の排水口に設置するヘアキャッチャーにおいて、ゴミ補集面の縁から筒部が形成され、筒部の上端に取手が設けられた構成が知られている（特許文献３参照）。
【先行技術文献】
【特許文献】
【０００５】
【特許文献１】特開２００５−３２５５２４号公報
【特許文献２】特開２００９−７７７７号公報
【特許文献３】特開２００９−７７７８号公報
【発明の概要】
【発明が解決しようとする課題】
【０００６】
従来の排水目皿のように上方に取手部が起立して設けられていると、例えば、図８（ｂ）に示すように、排水と同時に流れてくる長細いゴミ、例えば、毛髪４５などが取手部６４に絡んだり引っかかかったりして、捕集部６２まで誘導されにくくなる。従って、捕集部６２でゴミを一括して堆積し、除去するような作業がしにくくなり、排水目皿の清掃が面倒であるいう問題があった。
【０００７】
本発明は、排水と同時に流れてくる毛髪などのゴミが、排水目皿に流れ込む際に、取手部に引っかかりにくくして、排水目皿の中央である捕集部（底部）になるべく堆積して捕集されるようにして、排水目皿の清掃の際に、捕集ゴミを捕集部から一括して取り除くことができる、取り扱いが簡単な排水目皿を実現することを課題とする。
【課題を解決するための手段】
【０００８】
本発明は上記課題を解決するために、ゴミの捕集部と、捕集部の周囲に形成されたフランジ部と、フランジ部に起立状に形成された取手部とを備えた排水目皿において、取手部の上面がフランジ部の最上面より高い位置まで立ち上げられて徐々に高さを下げながらフランジ部の最上面に滑らかに接続されていることを特徴とする排水目皿を提供する。
【０００９】
取手部が排水目皿の径方向に沿って形成されていることが好ましい。
【００１０】
フランジ部が上段フランジ部と下段フランジ部の複数の段部を備えていることが好ましい。
【００１１】
取手部の上面側の幅より下面側の幅が小さく形成され、下面側が把持可能となっていることが好ましい。
【発明の効果】
【００１２】
本発明の排水目皿は、取手部が、捕集部の周囲に形成されるフランジ部に対して起立状に形成されて、取手部の上面がフランジ部の最上面より高い位置まで立ち上げられてから徐々に高さを下げながらフランジ部の最上面に接続されるので、排水とともに流れてきた毛髪などのゴミが、取手部に引っかかることなく捕集部に流れ込んで捕集堆積されるので、ゴミを捕集部から一括して取り除き易くなり、清掃性が向上する。上面側の幅より下面側の幅が小さく形成され、下面側が把持可能であることことが好ましい。
【図面の簡単な説明】
【００１３】
【図１】（ａ）は本発明の排水目皿の実施例１の構成を示す斜視図であり、（ｂ）は取手部の構成を示す図であり、（ｃ）は取手部の別の構成例を説明する図である。（ｄ）は、（ａ）に示す取手部より細幅の取手部の構成を示す図である。
【図２】本発明の排水目皿の実施例１の構成を示す図であり、（ａ）は平面図であり、（ｂ）は（ａ）のＡ−Ａ断面図である。（ｃ）は、（ａ）に示す取手部より細幅の取手部の構成を示す図である。
【図３】実施例１において、（ａ）は排水ケースなどを排水口に取り付けた状態を示す図であり、（ｂ）はさらに排水目皿を排水ケースなどを介して排水口に取り付けた状態を示す図である。
【図４】（ａ）〜（ｃ）は、実施例１の作用を説明する図である。
【図５】実施例１の取手部の変形例を説明する図であり、（ａ）は取手部の斜視図であり、（ｂ）取手部の正面図である。
【図６】本発明の排水目皿の実施例２の構成を示す図であり、（ａ）は斜視図であり、（ｂ）は断面図である。
【図７】本発明の排水目皿の実施例３の構成を示す図であり、（ａ）は斜視図であり、（ｂ）は断面図である。
【図８】排水目皿の従来例を説明する図であり、（ａ）は斜視図であり、（ｂ）は毛髪などのゴミを捕集した状態を示す斜視図である。
【発明を実施するための形態】
【００１４】
本発明に係る排水目皿を実施するための形態を実施例に基づき図面を参照して、以下説明する。
【実施例１】
【００１５】
図１〜４は、本発明に係る排水目皿の実施例１を説明する図である。実施例１の排水目皿１は、環状のフランジ部２と、捕集部３と、取手部４を備えており、図１（ａ）及び図２に示すように、全体的にはほぼ皿状に形成されている。
【００１６】
フランジ部２は、複数の段部を備えている。この実施例１では、複数の段部として、上段フランジ部５と下段フランジ部７を備えた構成で説明する。
【００１７】
上段フランジ部５は、径方向に水平に張りだした平坦な面を有し環状に形成されており、特に排水孔は形成されておらず、排水目皿１に流れてきた排水を下段フランジ部７へ導入する部分となる。図２（ｂ）に示すように、上段フランジ部５は、その内周縁において下方に向けて曲げられた曲げ部９を介して、環状の上部周壁１０に連続している。
【００１８】
上部周壁１０は、垂直面又は傾斜面で形成されている。上部周壁１０の外面には、その外面に沿って湾曲状に突縁１１が形成されている。この突縁１１は、後記するが、浴室の洗い場１２などの排水口１３に取り付ける際に、アダプタ１４に嵌着される（図３（ｂ）参照）。これにより、排水目皿１は、その上段フランジ部５がアダプタ１４と略面一となるようにして、排水口１３に取り付けられる。
【００１９】
上部周壁１０は、その下端から水平に曲げられて、下段フランジ部７に連続している。この下段フランジ部７は、排水目皿１において、最上部である上段フランジ部５と、最下部である捕集部３（底部）との間の高さに位置する、いわば中間の段部である。下段フランジ部７は、平坦な面を有し、本実施例１は排水孔を設けていないが、後記する実施例２に示すように、排水孔を設けた構成としてもよい。
【００２０】
上段フランジ部５と下段フランジ部７との高低差、即ち、環状の上部周壁１０の高さは、大きすぎると、排水量が少なく排水の流れの勢いが弱くなった場合に、排水と同時に流れてきた毛髪などのゴミが上部周壁１０の内面に接触する時間が多くなり、付着したりして、下方に流れ落ちにくくなる。従って、この点も勘案して適宜の高さに設計される必要がある。
【００２１】
ところで、排水目皿１は、上段フランジ部５及び下段フランジ部７を設けることにより、排水量が少ない場合でも、排水が下段フランジ部７を旋回流として流れ易くなり、毛髪などのゴミに対して旋回流の勢いと排水の浮力を作用させながら流して、捕集部３へ誘導することで、毛髪などのゴミが、下段フランジ部７の表面に付着しにくくなるという効果が生じる。
【００２２】
下段フランジ部７はその内周縁から下方に向けられ、下部周壁１６に連続するように形成されている。そして、下部周壁１６の下端は水平に向けられ、捕集部３に連続するように形成されている。この実施例１では、下部周壁１６には、垂直面又は傾斜面で形成されており、特に排水孔は形成されていないが、後記する実施例３に示すように、下部周壁１６に、適宜形状の排水孔を周方向に間隔をおいて設けた構成としてもよい。
【００２３】
捕集部３は、排水目皿１の底部に相当する部分であり、複数の排水孔１７が形成されており、この排水孔１７を通過させ排水を排出するとともに、ゴミを捕集する機能を有する。捕集部３は、その上面に同心円状に複数の環状のリブ１８が上に凸に形成されており、互いに隣接するリブ１８の間に、上記複数の排水孔１７が周方向に間隔をおいて形成されている。リブ１８は、捕集部３で捕集した毛髪などのゴミが、捕集部３の表面に直に密着して付着しにくくして、排水目皿１の清掃に際しても、ゴミを取り除き易くするとともに、捕集部３の強度を向上する機能を有する。
【００２４】
取手部４は、図１（ａ）〜（ｄ）及び図２（ａ）〜（ｃ）に示すように細幅あるいは広幅の板状に形成されており、この実施例１では、排水目皿１の中心を通る線上、即ち、排水目皿１の径方向に沿って、下段フランジ部７から上方に起立して一体で形成されている。取手部４の幅ｗ（図１（ａ）、（ｄ）、図２（ａ）、（ｃ）参照）は、例えば、数〜２０ｍｍ程度である。
【００２５】
取手部４の上面１９は、図１（ｂ）に拡大して示すように、側面視で曲線２０として形成されており、その頂部２３から徐々に高さを下げながら、フランジ部２の最上面である上段フランジ部５の上面２１に、段差なく滑らかに連続して接続されている。頂部２３は、例えば、Ｒ５（曲率半径Ｒａ＝５ｍｍ）程度の凸曲面で形成されており、また曲線２０の部分はＲ２０〜３０（曲率半径Ｒｂ＝２０ｍｍ〜３０ｍｍ）程度の凹曲面で形成されている。取手部４の下段フランジ部７から上段フランジ部５の上面までの立ち上がりの高さｈ１は１０ｍｍ程度であり、さらに頂部２３の頂点までの高さｈ２は５ｍｍ程度である。
【００２６】
なお、取手部４の上面１９は側面視で曲線ではなく、図１（ｃ）に示すように、斜線（直線）２２として形成し、徐々に高さを下げながら上段フランジ部５の上面２１に、側面視で曲線２４の部分を介して段差なく滑らかに連続して接続されている構成としてもよい。図１（ｃ）の頂部２３は、例えば、Ｒ５（曲率半径Ｒａ＝５ｍｍ〜１０ｍｍ）程度の凸曲面で形成されている。
【００２７】
取手部４は、指で把持できる程度の高さまでに、下段フランジ部７から上方に起立して形成される必要があるが、排水目皿１に流れ込む排水の流れを阻害せず、また毛髪などのゴミがひっかからないようにするためには、取手部４の頂部２３の高さは、図１（ｂ）、（ｃ）に示すように、上段フランジ部５の上面２１の高さを若干越える、換言すると、取手部４の上面１９の頂部２３が上段フランジ部５の上面２１より上方に若干突出している構成とすることが好ましい。
【００２８】
排水目皿１に流れ込む排水の流れを阻害せず、また毛髪などのゴミがひっかからないようにすることを重視すると、指で把持できる部分さえ確保できれば、取手部４の上面１９の頂部２３の高さは、上段フランジ部５の面の高さ以下であってもよい。
【００２９】
（変形例）                                              
図５（ａ）、（ｂ）は実施例１における取手部の変形例の斜視図及び正面図である。この変形例の取手部２５の上面２６は、側面視では実施例１と同様に、曲線２０として形成されており、その頂部２３から徐々に高さを下げながら、フランジ部２の最上面である上段フランジ部５の上面２１に、段差なく滑らかに連続して接続されている。
【００３０】
しかしながら、この変形例の取手部２５は、図５（ａ）、（ｂ）に示すように、上面２６側の幅Ｗｕより下面側（側面２７側）の幅Ｗｄが小さく形成され、下面側が把持可能な構成である。即ち、取手部２５の上面２６は所定の幅Ｗｕで形成され、上面２６より下方における取手部２５の左右の側面２７の間の幅Ｗｄは、幅Ｗｕより小さく形成されている。そして、上面２６の側部から左右の側面２７にかけて連続する角部２８は、なだらかに窪むように連続して形成され、全体として取手部２５の断面が略Ｔ字型に形成されている。使用者は、左右の側面２７を把持するが、上記のとおりなだらかに窪むように形成されているので把持し易い。
【００３１】
（作用）
以上の構成から成る排水目皿１を排水口１３へ装着するための構成、及び排水目皿１の作用について、図３及び図４を中心にして以下説明する。洗い場１２などの排水口１３に排水ケース３０を装着し、この排水ケース３０に排水目皿１を装着する。具体的には次の通りである。
【００３２】
図３（ａ）に示すように、排水ケース３０のフランジ３１とアダプタ１４のフランジ３２との間に、シール３３を介して、排水口１３に形成された棚部３４を挟んだ状態とする。そして、排水ケース３０の内周面に形成されたネジ３５に、上方からアダプタ１４の外周面に形成されたネジ３６を螺合し、棚部３４を締め付けるようにして、アダプタ１４を排水ケース３０のフランジ３１に締着する。これにより、排水ケース３０は、排水口１３内に設置される。この排水ケース３０内には、下端が開口した排水筒３７が、その上端のフランジ３８をシール３９を介してアダプタ１４の下端フランジ４０に引っかけて装着される。
【００３３】
そして、図３（ｂ）に示すように、排水目皿１の外面に形成された湾曲状の突縁１１を、アダプタ１４の内面に周方向に隔設された受け溝４１に、水平回動するようにして装入し、排水目皿１をアダプタ１４に装着する。このようにして、排水目皿１を排水ケース３０に取り付けることができる。
【００３４】
図３（ｂ）に示すように、排水蓋４２の周囲から排水口１３内に流れ込んだ排水は、排水目皿１の上段フランジ部５上を流れてから、上部周壁１０に沿って下段フランジ部７上を旋回流となって流れる。さらに、排水は、下段フランジ部７から捕集部３に流れ落ち、複数の排水孔１７を通過して排水筒３７内に排出される。そして、排水は、排水筒３７の下方から排水ケース３０の堰部４３を越えて外側に流れて、排出管４４から排水路などに排出される。
【００３５】
排水とともに排水目皿１内に流れ込み、捕集部３の排水孔１７を通過できないゴミは、捕集部３で捕集される。そして、排水目皿１を清掃する際には、排水目皿１をアダプタ１４から取り外して捕集部３に捕集されたゴミを取り除けばよい。
【００３６】
本発明の排水目皿１は、図１及び図２において説明したように、フランジ部２に上段フランジ部５及び下段フランジ部７を設け、取手部４はこの下段フランジ部７から起立し、その上面は上段フランジ部５の上面に段差なく接続した構成を特徴とするが、この構成による作用を詳細に説明する。図４（ａ）〜（ｃ）は、排水と同時に流れてきた毛髪４５が、排水目皿１において、上段フランジ部５から捕集部３まで流されて誘導される状態を示す図である。
【００３７】
排水とともに排水目皿１に向けて流れてきた毛髪４５は、図４（ａ）に白抜き矢印で示すように上段フランジ部５にさしかかると、取手部４のない部分では、上段フランジ部５から下段フランジ部７に向けて流れ落ちる。そして、図４（ｃ）に示すように、下段フランジ部７上を旋回しながら流れる排水とともに、捕集部３に流れ込む。
【００３８】
取手部が排水目皿から上方に起立して設けられていると、従来例のような構成であれば、取手部に毛髪４５が絡んで引っかかってしまう（図８（ｂ）参照）。しかし、この排水目皿１では、図４（ａ）、（ｂ）に示すように、毛髪４５は取手部４に絡みにくく、引っかかりにくい。その理由は、次のア．〜ウ．のとおりである。
【００３９】
ア．毛髪４５が上段フランジ部５上を流れる際に、毛髪４５には排水の流れ及び浮力が作用するから、毛髪４５は排水中を浮き上がって流れ、取手部４に絡んだり引っかかかったりしにくく、取手部４の上面１９を越えるように排水とともに流される（図４（ａ）、（ｂ）参照）。
イ．取手部４は、毛髪４５が流れ込もうとする排水目皿１の径方向に向けて形成されており、しかも、取手部４の上面１９は、排水目皿１の径方向外側に位置する上段フランジ部５の上面２１に曲線２０又は斜線２２で段差なく滑らかに連続するように形成されているから、排水目皿１の外側から内側に流れ込む毛髪４５は、取手部４に絡んだり引っかかかったりしにくい（図４（ａ）、（ｂ）参照）。
ウ．取手部４の頂部２３の高さが上段フランジ部５より若干上方に位置するように、下段フランジ部７から起立して形成されているから、毛髪４５が取手部４に絡んだり引っかかかったりしにくい（図４（ｂ）参照）。
【００４０】
上記のとおり、排水とともに毛髪４５は、上段フランジ部５から下段フランジ部７に流れ落ちるが、この下段フランジ部７では、図４（ｃ）に示すように、排水が旋回流として流れ、毛髪４５に対して旋回流の勢いと排水の浮力を作用させながら下段フランジ部７上を上部周壁１０に沿うようにして旋回して流れながら、捕集部３内に流れ落ち、毛髪４５は捕集部３に誘導されて捕集される。従って、この排水目皿１では、比較的排水量が少ない場合でも、毛髪４５などのゴミが、下段フランジ部７の表面に対しても付着しにくい。
【００４１】
以上のとおり、本発明の排水目皿１は、最上段の環状のフランジとして形成された上段フランジ部５の下方に、下段フランジ部７を設け、下段フランジ部７から取手部４を起立して形成し、その上面１９は上段フランジ部５に曲線２０又は斜線２２でもって連続するように形成したので（図１及び図２参照）、毛髪４５が取手部４に絡んだり引っかかかりにくくなり、また、比較的排水量が少ない場合でも、下段フランジ部７において毛髪４５などのゴミが、排水目皿１に沿って流れている際に、途中で排水目皿１の下段フランジ部７等に付着したりすることが少なくなり、捕集部３において、より多くの毛髪などのゴミが一括して捕集され易くなる。
【実施例２】
【００４２】
図６（ａ）、（ｂ）は、本発明に係る排水目皿の実施例２を説明する図である。この実施例２は、実施例１とほぼ同じ構成であるが、排水目皿の下段フランジ部の構成において異なる。以下、実施例２について、実施例１と異なる下部周壁の構成を中心に説明し、実施例１と同じ構成は符号を同じとし、その構成の説明を省略する。
【００４３】
上記実施例１においては、その排水目皿１の下段フランジ部７には、図１及び図２に示すように排水孔は形成されていない。しかし、この実施例２の排水目皿４６の下段フランジ部４７には、周方向に間隔をおいて複数の排水孔４８が設けられており、下段フランジ部４７に沿って流れる排水の一部が通過可能に構成されている。このような複数の排水孔４８の形状、数等は、排水目皿４６の設置場所に応じて適宜設計されるべきである。
【００４４】
実施例２では、取手部４の構成及びその作用効果などは実施例１と同じであるが、上記のとおり、排水目皿４６の下段フランジ部４７には、複数の排水孔４８を設けたので、排水孔４８を設けない構成に比較して大きな排水量が確保できる。従って、排水量が多い場所の排水口についも十分に対応可能である。なお、この下段フランジ部４７では、排水が旋回流として流れ、毛髪などのゴミを旋回流の勢いと排水の浮力を作用させながら流すので毛髪などのゴミが排水孔４８内に入り込んで詰まるようなことは生じにくい。図６では、取手部４は、実施例１の図１（ａ）、図２（ａ）に示すものと同様に広幅を図示しているが、実施例２においても、取手部４は図１（ｄ）、図２（ｃ）に示すような細幅でもよい。
【実施例３】
【００４５】
図７（ａ）、（ｂ）は、本発明に係る排水目皿の実施例３を説明する図である。この実施例３は、実施例１とほぼ同じ構成であるが、排水目皿の下部周壁の構成において異なる。以下、実施例３について、実施例１と異なる下部周壁の構成を中心に説明し、実施例１と同じ構成は符号を同じとし、その構成の説明を省略する。
【００４６】
上記実施例１においては、その排水目皿１の下部周壁１６には、図１及び図２（ｂ）に示すように排水孔は形成されていない。しかし、この実施例３の排水目皿５０の下部周壁５１の上部には、複数の矩形の排水孔５２が周方向に間隔をおいて形成されている。この排水孔５２は、実施例３では矩形の形状の孔（角孔）であるが、丸い形状の孔（丸孔）であってもよい。
【００４７】
そして、排水目皿の下部周壁５１におけるほぼ下半分には、孔なし部５３が形成されている。要するに、下部周壁５１には、複数の排水孔５２形成されているとともに、その一部に孔なし部５３が形成されている。
【００４８】
実施例３では、取手部４の構成及びその作用効果は実施例１と同じであるが、上記のとおり、排水目皿５０の下部周壁５１に複数の排水孔５２を設けたので、排水孔５２を設けない構成に比較して大きな排水量が確保できる。従って、洗い場などの排水口からの排水される量が多い状態でも、十分に対応可能である。しかも、排水目皿５０の下部周壁５１におけるほぼ下半分には、孔なし部５３が形成されているので、下部周壁５１における捕集部３付近には、毛髪などのゴミがへばりつきにくくなり、捕集部３において、より一括して捕集されやすくなる。図７では、取手部４は、実施例１の図１（ａ）、図２（ａ）に示すものと同様に広幅を図示しているが、実施例３においても、取手部４は図１（ｄ）、図２（ｃ）に示すような細幅でもよい。
【００４９】
以上、本発明に係る排水目皿を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５０】
本発明に係る排水目皿は上記のような構成であるから、浴室の洗い場の床に設けた排水口だけでなく、洗面ボウル、キッチンのシンクなどの排水口にも適用可能である。
【符号の説明】
【００５１】
（実施例１）
１  排水目皿                
２  環状のフランジ部        
３  捕集部                  
４  取手部                  
５  上段フランジ部            
７  下段フランジ部            
９  曲げ部                  
１０  上部周壁                 
１１  突縁                     
１２  洗い場                   
１３  排水口                   
１４  アダプタ                 
１６  下部周壁                 
１７  捕集部の排水孔           
１８  排水目皿の底部のリブ     
１９  取手部の上面             
２０  曲線                     
２１  上段フランジ部の上面       
２２  斜線（直線）             
２３  頂部
２４  曲線
２５  取手部
２６  取手部の上面
２７  取手部の左右の側面
２８  取手部の角部
３０  排水ケース               
３１  排水ケースのフランジ     
３２  アダプタのフランジ 
３３  シール
３４  排水口の棚部      
３５  排水ケース内周面のネジ   
３６  アダプタ外周面のネジ     
３７  排水筒                   
３８  排水筒上端のフランジ     
３９  シール
４０  アダプタ下端のフランジ   
４１  アダプタ内面の受け溝     
４２  排水蓋                   
４３  排水ケースの堰部         
４４  排出管                   
４５  毛髪
（実施例２）
４６  排水目皿
４７  下段フランジ部
４８  下段フランジ部の排水孔   
（実施例３）                
５０  排水目皿                
５１  下部周壁                
５２  下部周壁の排水孔        
５３  孔なし部                
（従来例）                  
６０  排水目皿                
６１  網目状排水孔            
６２  捕集部                  
６３  フランジ部              
６４  筒部                    
６５  取手部                  
【図１】
2010275718.tif 000003
【図２】
2010275718.tif 000004
【図３】
2010275718.tif 000005
【図４】
2010275718.tif 000006
【図５】
2010275718.tif 000007
【図６】
2010275718.tif 000008
【図７】
2010275718.tif 000009
【図８】
2010275718.tif 000010